(57)【要約】【課題】自動原稿読取装置を用いた画像処理を行うに際し、紙詰まりした場合、紙詰まり解消後に読み取らせる原稿を確認する必要がなく、また画像処理完了後にページ落ちを確認する必要もない画像処理装置を提供する。【解決手段】紙詰まりが生じたとき、紙詰まりが発生した時点で保存実行中のページの原稿画像データをメモリから破棄し、破棄したページの１つ前のページの原稿画像データをメモリに保持したまま、紙詰まり解消後に自動原稿読取装置で原稿読み取りを行って原稿画像データを得る。紙詰まり解消後に得た原稿画像データと１つ前のページの原稿画像データとを比較し、同ページが存在した場合、紙詰まり解消後に得た原稿画像データ及び紙詰まり前に得た画像データのうち該同ページ以前のページのデータで且つ出力済みのページのデータを、そのままメモリから破棄して所定の画像処理の対象から外す。【選択図】図２
2011259052.tif 000002
【特許請求の範囲】
【請求項１】
自動的に原稿を搬送して原稿の画像を読み取る自動原稿読取装置と、該自動原稿読取装置で原稿読み取りにより得た原稿画像データを一時的に保存するメモリとを備え、該メモリに一時的に保存された原稿画像データに所定の画像処理を施して出力する画像処理装置であって、
前記自動原稿読取装置での読み取りと前記自動原稿読取装置で得た原稿画像データに対する前記所定の画像処理とを一連の処理として施す際に、紙詰まりが生じたとき、紙詰まりが発生した時点で保存実行中のページの原稿画像データを前記メモリから破棄し、破棄したページの１つ前のページの原稿画像データを前記メモリに保持したまま、紙詰まり解消後に前記自動原稿読取装置で原稿読み取りを行って原稿画像データを得て、該紙詰まり解消後に得た原稿画像データと前記１つ前のページの原稿画像データとを比較し、同ページが存在した場合、紙詰まり解消後に得た原稿画像データ及び紙詰まり前に得た画像データのうち該同ページ以前のページのデータで且つ出力済みのページのデータを、そのまま前記メモリから破棄して前記所定の画像処理の対象から外すことを特徴とする画像処理装置。
【請求項２】
前記所定の画像処理は、前記自動原稿読取装置で得た原稿画像データを記録紙に印刷する印刷処理とすることを特徴とする請求項１に記載の画像処理装置。
【請求項３】
前記所定の画像処理は、前記自動原稿読取装置で得た原稿画像データを全ページ分まとめて、電子メールに添付して送信するメール送信処理とすることを特徴とする請求項１に記載の画像処理装置。
【請求項４】
前記所定の画像処理は、前記自動原稿読取装置で得た原稿画像データをページ毎に又は全ページ分まとめてファクシミリ送信するファクシミリ送信処理とすることを特徴とする請求項１に記載の画像処理装置。
【請求項５】
前記紙詰まりが生じたとき、前記自動原稿読取装置の原稿載置トレイに原稿を数枚戻すようにユーザを促すメッセージを提示する提示部を備えたことを特徴とする請求項１〜４のいずれか１項に記載の画像処理装置。
【発明の詳細な説明】
【技術分野】
【０００１】
本発明は、自動原稿読取装置を用いて原稿読み取りを行った画像データに対して画像処理を施す画像処理装置に関する。
【背景技術】
【０００２】
コピー機などには、自動的に原稿を搬送して原稿の画像を読み取る自動原稿読取装置が具備されているものがある。このようなコピー機では、自動原稿読取装置を用いてコピー処理を行う際に、原稿読み取り時や印刷実行時に紙詰まり（ジャム）が生じることがある。そのような場合、コピー機の操作画面には、原稿を何ページ戻すように促すアナウンスが表示される。
【０００３】
しかし、一般ユーザからすれば、特に自動原稿読取装置における搬送路（読取位置までの経路や排出位置までの経路）での原稿の紙詰まりについては、ジャムの状況がその都度異なるため、ジャム解消後に原稿をどこから読み込ませれば良いのかが、非常に判り難い。
【０００４】
特許文献１には、原稿読み取り中に原稿詰まりが発生した際には、読み取りが完了した画像を保存し、保存した最終頁の画像を表示することで、読み取りを再開する画像を明確にしようとした画像読取蓄積装置が開示されている。
なお、特許文献２には画像認識方法について開示されている。
【先行技術文献】
【特許文献】
【０００５】
【特許文献１】特開平１０−２７１２８７号公報
【特許文献２】特開２００７−２９９２１０号公報
【発明の概要】
【発明が解決しようとする課題】
【０００６】
上述のように、原稿読み取り時や印刷実行時にジャムした場合、原稿を何ページ戻すといったアナウンスが表示されるが、原稿が搬送途中で止まっている場合などもあり、戻すページが判り難い。それにより、結局、最後にページ落ちが無いか確認する必要が生じるため、大変不便である。また、コピー機の調子が悪く、１部の原稿で何度もジャムした場合など後の見直し作業が大変である。
【０００７】
特許文献１に記載の技術では、読み取りが完了した最後の画像が表示されるものの、原稿とその表示画像とを確認する必要が生じ、特に似たページが続く原稿についてはページ落ちとなる可能性もあるため、結局最後にページ落ちがないかを確認する必要が生じる。
また、このような問題は、コピー処理に限らず、自動原稿読取装置を用いたファクシミリ送信処理、インターネットファクシミリ処理などの様々な画像処理で生じ得る。
【０００８】
本発明は、上述のような実状に鑑みてなされたものであり、その目的は、自動原稿読取装置を用いた画像処理を行うに際し、紙詰まりした場合、紙詰まり解消後に読み取らせる原稿を確認する必要がなく、また画像処理完了後にページ落ちを確認する必要もない画像処理装置を提供することにある。
【課題を解決するための手段】
【０００９】
上記課題を解決するために、本発明の第１の技術手段は、自動的に原稿を搬送して原稿の画像を読み取る自動原稿読取装置と、該自動原稿読取装置で原稿読み取りにより得た原稿画像データを一時的に保存するメモリとを備え、該メモリに一時的に保存された原稿画像データに所定の画像処理を施して出力する画像処理装置であって、前記自動原稿読取装置での読み取りと前記自動原稿読取装置で得た原稿画像データに対する前記所定の画像処理とを一連の処理として施す際に、紙詰まりが生じたとき、紙詰まりが発生した時点で保存実行中のページの原稿画像データを前記メモリから破棄し、破棄したページの１つ前のページの原稿画像データを前記メモリに保持したまま、紙詰まり解消後に前記自動原稿読取装置で原稿読み取りを行って原稿画像データを得て、該紙詰まり解消後に得た原稿画像データと前記１つ前のページの原稿画像データとを比較し、同ページが存在した場合、紙詰まり解消後に得た原稿画像データ及び紙詰まり前に得た画像データのうち該同ページ以前のページのデータで且つ出力済みのページのデータを、そのまま前記メモリから破棄して前記所定の画像処理の対象から外すことを特徴としたものである。
【００１０】
第２の技術手段は、第１の技術手段において、前記所定の画像処理は、前記自動原稿読取装置で得た原稿画像データを記録紙に印刷する印刷処理とすることを特徴としたものである。
【００１１】
第３の技術手段は、第１の技術手段において、前記所定の画像処理は、前記自動原稿読取装置で得た原稿画像データを全ページ分まとめて、電子メールに添付して送信するメール送信処理とすることを特徴としたものである。
【００１２】
第４の技術手段は、第１の技術手段において、前記所定の画像処理は、前記自動原稿読取装置で得た原稿画像データをページ毎に又は全ページ分まとめてファクシミリ送信するファクシミリ送信処理とすることを特徴としたものである。
【００１３】
第５の技術手段は、第１〜第４のいずれか１項の技術手段において、前記紙詰まりが生じたとき、前記自動原稿読取装置の原稿載置トレイに原稿を数枚戻すようにユーザを促すメッセージを提示する提示部を備えたことを特徴としたものである。
【発明の効果】
【００１４】
本発明に係る画像処理装置によれば、自動原稿読取装置を用いた画像処理を行うに際し、紙詰まりした場合でも、紙詰まり解消後に読み取らせる原稿を確認する必要がなく、また画像処理完了後にページ落ちを確認する必要もなくなる。
【図面の簡単な説明】
【００１５】
【図１】本発明に係る画像処理装置の一例である画像形成装置の構成例を示す断面図である。
【図２】本発明に係る画像処理装置におけるコピー処理の一例を説明するためのフロー図である。
【図３】本発明に係る画像処理装置におけるインターネットファクシミリ送信処理又はファクシミリ送信処理の一例を説明するためのフロー図である。
【発明を実施するための形態】
【００１６】
まず、本発明に係る画像処理装置として適用可能な画像形成装置の一構成例について、図１を参照しながら説明する。図１は、本発明に係る画像処理装置の一例である画像形成装置の構成例を示す断面図である。
【００１７】
図１で例示する画像形成装置１００は、原稿用紙から読み取られた画像データを取得したり、或いは、外部から受信した画像データを取得し、この画像データによって示されるモノクロ画像を記録用紙に形成するものであり、その構成を大別すると、自動原稿搬送部（ＡＤＦ）１０１、画像読取部１０２、印刷部１０３、記録用紙搬送部１０４、及び給紙部１０５からなる。
【００１８】
自動原稿搬送部１０１では、少なくとも１枚の原稿用紙が原稿載置トレイ（原稿セットトレイ）１１にセットされると、原稿用紙を１枚ずつ原稿セットトレイ１１から引き出して搬送し、この原稿用紙を画像読取部１０２の原稿読取窓１０２ａに導いて通過させ、この原稿用紙を排紙トレイ１２に排出する。
【００１９】
原稿読取窓１０２ａの上方には、ＣＩＳ（Contact Image Sensor）１３を配設している。このＣＩＳ１３は、原稿読取窓１０２ａを原稿用紙が通過する際に、原稿用紙裏面の画像を主走査方向に繰り返し読み取り、原稿用紙裏面の画像を示す画像データを出力する。
【００２０】
また、画像読取部１０２は、原稿用紙が原稿読取窓１０２ａを通過する際に、第１走査ユニット１５のランプによって原稿用紙表面を露光し、第１走査ユニット１５及び第２走査ユニット１６のミラーによって原稿用紙表面からの反射光を結像レンズ１７へと導き、結像レンズ１７によって原稿用紙表面の画像をＣＣＤ（Charge Coupled Device）１８上に結像する。ＣＣＤ１８は、原稿用紙表面の画像を主走査方向に繰り返し読み取り、原稿用紙表面の画像を示す画像データを出力する。
【００２１】
更に、原稿用紙が画像読取部１０２上面のプラテンガラス上に置かれた場合は、第１走査ユニット１５及び第２走査ユニット１６を相互に所定の速度関係を維持しつつ移動させ、第１走査ユニット１５によってプラテンガラス上の原稿用紙表面を露光し、第１走査ユニット１５及び第２走査ユニット１６によって原稿用紙表面からの反射光を結像レンズ１７へと導き、結像レンズ１７によって原稿用紙表面の画像をＣＣＤ１８上に結像する。
【００２２】
ＣＩＳ１３若しくはＣＣＤ１８から出力された画像データは、マイクロコンピュータ等の制御回路に含まれるメモリに一時的に保存され、各種の加工処理を施されてから、印刷部１０３に出力される。ここで、制御回路には、実行する制御の手順を記したプログラムを内部メモリに格納しておき、同じく内部の作業用メモリに読み出して、同じく内部の演算装置に実行させるように構成しておくこともできる。
【００２３】
印刷部１０３は、画像データによって示される原稿を用紙に記録するものであって、感光体ドラム２１、帯電器２２、光書込みユニット２３、現像器２４、転写ユニット２５、クリーニングユニット２６、及び定着ユニット２７等を備えている。なお、印刷部１０３としてモノクロ印刷を行う印刷部を例示しているが、当然、カラー印刷を行う印刷部を設けてもよい。
【００２４】
感光体ドラム２１は、一方向に回転しており、その表面をクリーニングユニット２６によりクリーニングされてから、その表面を帯電器２２により均一に帯電される。帯電器２２は、チャージャー型のものであっても、感光体ドラム２１に接触するローラ型やブラシ型のものであっても良い。
【００２５】
光書込みユニット２３は、２つのレーザ照射部２８ａ、２８ｂ、及び２つのミラー群２９ａ、２９ｂを備えるレーザスキャニングユニット（ＬＳＵ）である。この光書込みユニット２３では、画像データを入力して、この画像データに応じたレーザ光を各レーザ照射部２８ａ、２８ｂからそれぞれ出射し、これらのレーザ光を各ミラー群２９ａ、２９ｂ介して感光体ドラム２１に照射して、均一に帯電された感光体ドラム２１表面を露光し、感光体ドラム２１表面に静電潜像を形成する。
【００２６】
この光書込みユニット２３は、高速印字処理に対応するために２つのレーザ照射部２８ａ、２８ｂを備えた２ビーム方式を採用して、照射タイミングの高速化に伴う負担を軽減している。なお、光書込ユニット２３として、レーザスキャニングユニットの代わりに、発光素子をアレイ状に並べたＥＬ書き込みヘッドやＬＥＤ書き込みヘッドを用いることもできる。
【００２７】
現像器２４は、トナーを感光体ドラム２１表面に供給して、静電潜像を現像し、トナー像を感光体ドラム２１表面に形成する。転写ユニット２５は、感光体ドラム２１表面のトナー像を用紙搬送部１０４により搬送されてきた記録用紙に転写する。定着ユニット２７は、記録用紙を加熱及び加圧して、記録用紙上のトナー像を定着させる。この後、記録用紙は、用紙搬送部１０４により排紙トレイ４７へと更に搬送されて排出される。また、クリーニングユニット２６は、現像、転写後に感光体ドラム２１の表面に残留したトナーを除去して回収する。
【００２８】
ここで、転写ユニット２５は、転写ベルト３１、駆動ローラ３２、従動ローラ３３、及び弾性導電性ローラ３４等を備えており、転写ベルト３１を各ローラ３２〜３４と他のローラに張架して回転させている。転写ベルト３１は、所定の抵抗値（例えば、１×１０９〜１×１０１３Ω／ｃｍ）を有しており、その表面に載せられた記録用紙を搬送する。弾性導電性ローラ３４は、転写ベルト３１を介して感光体ドラム２１表面に押し付けられており、転写ベルト３１上の記録用紙を感光体ドラム２１表面に押し付ける。この弾性導電性ローラ３４には、感光体ドラム２１表面のトナー像の電荷とは逆極性の電界が印加されており、この逆極性の電界により感光体ドラム２１表面のトナー像が転写ベルト３１上の記録用紙に転写される。例えば、トナー像が（−）極性の電荷を有している場合は、弾性導電性ローラ３４に印加されている電界の極性が（＋）極性にされる。
【００２９】
定着ユニット２７は、加熱ローラ３５及び加圧ローラ３６を備えている。加熱ローラ３５の内部には、加熱ローラ３５の表面を所定温度（定着温度：概ね１６０〜２００℃）に設定するための熱源を設けている。また、加熱ローラ３５に対して加圧ローラ３６が所定圧で圧接されるように、加圧ローラ３６の両端に図示しない加圧部材を配置している。加熱ローラ３５と加圧ローラ３６間の圧接部（定着ニップ部と称される）に記録用紙が搬送されてくると、各ローラ３５、３６により記録用紙が搬送されつつ、記録用紙上の未定着トナー像が加熱溶融され加圧されて、トナー像が記録用紙上に定着される。
【００３０】
用紙搬送部１０４は、記録用紙を搬送するための複数対の搬送ローラ４１、一対のレジストローラ４２、搬送経路４３、反転搬送経路４４、複数の分岐爪４５、及び一対の排紙ローラ４６等を備えている。
【００３１】
搬送経路４３では、記録用紙を給紙部１０５から受け取り、記録用紙の先端がレジストローラ４２に達するまでその記録用紙を搬送する。このときレジストローラ４２を一時的に停止させているので、記録用紙の先端がレジストローラ４２に達して当接し、記録用紙が撓む。この撓んだ記録用紙の弾性力によりその記録用紙の先端をレジストローラ４２と平行に揃える。この後、レジストローラ４２の回転を開始して、レジストローラ４２により記録用紙を印刷部１０３の転写ユニット２５へと搬送し、更に排紙ローラ４６により記録用紙を排紙トレイ４７へと搬送する。レジストローラ４２の停止及び回転は、レジストローラ４２と駆動軸間のクラッチをオンオフに切り替えたり、レジストローラ４２の駆動源であるモータをオンオフに切り替えてなされる。
【００３２】
また、記録用紙の裏面にも画像を記録する場合は、複数の分岐爪４５を回転させて、搬送経路４３と反転搬送経路４４の分岐路を切り替え、反転搬送経路４４で記録用紙の表裏を反転させてから、記録用紙を反転搬送経路４４を介して搬送経路４３のレジストローラ４２へと戻す。これにより、記録用紙の裏面にも画像が記録される。搬送経路４３及び反転搬送経路４４においては、記録用紙の位置等を検出するセンサを各所に配置し、各センサにより検出された記録用紙の位置に基づいて搬送ローラやレジストローラを駆動制御して、記録用紙の搬送及び位置決めを行っている。
【００３３】
給紙部１０５は、複数の給紙トレイ５１を備えている。各給紙トレイ５１は、記録用紙を蓄積しておくためのトレイであり、画像形成装置１００の下方に設けられている。また、各給紙トレイ５１は、記録用紙を一枚ずつ引き出すためのピックアップローラ等を備えており、引き出した記録用紙を用紙搬送部１０４の搬送経路４３へと送り出す。
【００３４】
また、画像形成装置１００は高速印字処理に対応できるように、各給紙トレイ５１には、定型サイズの記録用紙を５００〜１５００枚収納可能な容積を確保している。また、画像形成装置１００の側面には、複数種の記録用紙を多量に収納可能な大容量給紙カセット（ＬＣＣ）５２、及び主として不定型サイズの記録用紙を供給するための手差しトレイ５３を設けている。大容量給紙カセット５２は取り外し可能となっている。
【００３５】
排紙トレイ４７は、手差しトレイ５３とは反対側の側面に配置されている。この排紙トレイ４７に代えて、排紙用紙の後処理装置（ステープル、パンチ処理等々）や、複数段の排紙トレイをオプションとして配置することも可能な構成となっている。
【００３６】
次に、本発明の主たる特徴について説明する。本発明に係る画像処理装置は、自動的に原稿を搬送して原稿の画像を読み取る自動原稿読取装置と、自動原稿読取装置で原稿読み取りにより得た原稿画像データを一時的に保存するメモリとを備え、メモリに一時的に保存された原稿画像データに所定の画像処理を施して出力する装置であり、上記所定の画像処理によってその構成が異なる。本発明に係る画像処理装置に具備される自動原稿読取装置は、図１で例示した画像形成装置では自動原稿搬送部１０１とＣＣＤ１８を含む画像読取部１０２及びＣＩＳ１３とで構成することができ、上記制御回路における制御により上記所定の画像処理が制御される。
【００３７】
そして、本発明に係る画像処理装置は、自動原稿読取装置での読み取りと自動原稿読取装置で得た原稿画像データに対する上記所定の画像処理とを一連の処理として施す。例えば上記所定の処理が印刷処理であれば、この一連の処理は自動原稿読取装置を用いたコピー処理となる。例えば、上記所定の処理がファクシミリ送信処理、インターネットファクシミリ送信処理であれば、この一連の処理は、それぞれ、自動原稿読取装置を用いて原稿をファクシミリ送信する処理、電子メールに添付して送信する処理となる。その他、上記所定の処理が読み取った原稿画像データからＯＣＲ（Optical Character Reader）変換にて文字として認識させ認識データを出力する文字認識処理であれば、この一連の処理は自動原稿読取装置を用いた自動文字認識処理となる。
【００３８】
本発明の主たる特徴は、上記一連の処理を施す際に、紙詰まりが生じたとき、紙詰まりが発生した時点で保存実行中のページの原稿画像データをメモリから破棄（消去）し、破棄したページの１つ前のページの原稿画像データをメモリに保持したまま、自動原稿読取装置での読み取りを中断する。ここで、所定の画像処理を原稿読み取りと並列で実行している場合には、その所定の画像処理も中断する。例えば一連の処理が自動原稿読取装置を用いたコピー処理である場合、原稿を読み取りしながら印刷処理を実行する画像処理装置では印刷処理も中断するが、全ての原稿を読み取ってから印刷処理に移行する画像処理装置では印刷処理は当然中断する必要はない。また、破棄したページの１つ前のページを少なくとも保持する必要があるが、その「１つ前のページ」より更に前に得たページのデータについては、所定の画像処理に応じて異なり、より具体的には所定の画像処理が実行済み（但し実行に際し紙詰まりが生じたページは除く）であれば保持する必要がなく、実行済みでなければ上記メモリに又は他のメモリに移管して保持しておく必要がある。
【００３９】
次に、ユーザは紙詰まりを解消させる作業を行う。そして、画像処理装置は、紙詰まり解消後に自動原稿読取装置で原稿読み取りを行って原稿画像データを得て、紙詰まり解消後に得た原稿画像データと１つ前のページの原稿画像データとを比較する。画像処理装置は、比較の結果、同じページ（以下、同ページという）が存在した場合、紙詰まり解消後に得た原稿画像データ及び紙詰まり前に得た画像データのうち同ページ以前のページのデータで且つ出力済みのページのデータ（以下、このページを、破棄対象ページという）を、そのままメモリから破棄して所定の画像処理の対象から外す。なお、破棄するタイミングは問わず、所定の画像処理の対象から外せればよい。
【００４０】
つまり、破棄対象ページ以外のデータ、すなわち紙詰まり解消後に得た原稿画像データのうち上記同ページより後のページのデータが、その後の所定の画像処理の対象となって、所定の画像処理が施される。このように、画像処理装置は、上記同ページが存在した場合、重複するページが少なくとも１ページ存在することを指しているため、そのまま出力すると出力が重複するページ（上記同ページを含む）について、紙詰まり解消後に得た原稿画像データ、紙詰まり前に得た原稿画像データの双方から消去を実行する。つまり、紙詰まり解消後に得た原稿画像データからの上記破棄対象ページのデータを破棄し、上記同ページについては紙詰まり前に得た原稿画像データからも破棄する。そして、紙詰まり前に得た原稿画像データのうち上記同ページより前に得たページのデータが残っていた場合には、それも所定の画像処理の対象とはしない。
【００４１】
このような破棄処理により、所定の画像処理を原稿読み取りと並列で実行している場合でも所定の画像処理を原稿読み取りの完了後に実行する場合でも、所定の画像処理が未実行のページの原稿画像データに対して、所定の画像処理が施され、処理ページが重複することもない。なお、このような破棄（消去）とは別に、所定の画像処理が完了した場合には、不要となったページのデータ（なお、上記保存実行中のページの１つ前のページのデータは判定に用いるため不要とは言えない）は破棄することになる。
【００４２】
以上、本発明に係る画像処理装置では、自動原稿読取装置を用いた画像処理を行うに際し、紙詰まりした場合でも、その時に存在する最終出力用のデータと後に読み取った画像データとを比較して同ページ以前については二重に画像処理を施さないようにしているため、ユーザが適当に原稿を再セットするだけで画像処理が遂行できる。そして、ここでは、紙詰まり解消後に読み取らせる原稿を確認する必要がなく、また画像処理完了後にページ落ちを確認する必要もなくなる。なお、もし、同ページが存在しなかった場合にはもっとページを戻すように促す画面を表示したり、そのまま紙詰まり解消後に得た全てのページについての原稿画像データに対し、所定の画像処理を施せばよい。
【００４３】
また、本発明に係る画像処理装置は、次の提示部を備えることが好ましい。この提示部は、紙詰まりが生じたとき、自動原稿読取装置の原稿載置トレイ（図１では原稿載置トレイ１１で例示）に原稿を「数枚」戻すようにユーザを促すメッセージを提示する。ここで、「数枚」とそのまま提示してもよいし、例えば「２〜３枚」、「２枚程度」、「３枚程度」。「３〜５枚」などと提示してもよい。上述のように本発明ではユーザが適当に原稿を再セットするだけで画像処理を遂行できるため、このような曖昧な提示の方法が可能となる。提示の方法は、ユーザインタフェース画面への表示であってもよいし、音声ガイダンスによってもよいし、その双方であってもよい。
【００４４】
次に、図２を参照しながら、上記一連の処理がコピー処理である場合、つまり上記所定の画像処理が自動原稿読取装置で得た原稿画像データを記録紙に印刷する印刷処理である場合について、その処理例を説明する。図２は、本発明に係る画像処理装置におけるコピー処理の一例を説明するためのフロー図である。ここで説明する処理例は、図１の画像形成装置１００で実行するものとし、また、一般的に採用されるコピー処理として原稿読み取り最中でも準備が整い次第、印刷処理を行うものとする。
【００４５】
まず、ユーザにより、自動原稿読取装置の原稿セットトレイ１１に読取原稿がセットされる（ステップＳ１）。制御回路がそれを検知すると、自動原稿搬送部１０１が、原稿用紙を１枚ずつ原稿セットトレイ１１から引き出して搬送し、この原稿用紙を画像読取部１０２の原稿読取窓１０２ａに導いて通過させ、この原稿用紙を排紙トレイ１２に排出する。原稿読取窓１０２ａの上方に配設されたＣＩＳ１３は、原稿読取窓１０２ａを原稿用紙が通過する際に、原稿用紙裏面の画像を主走査方向に繰り返し読み取り（ステップＳ２）、原稿用紙裏面の画像を示す画像データをメモリに出力する（ステップＳ３）。また、画像読取部１０２は、原稿用紙が原稿読取窓１０２ａを通過する際に、第１走査ユニット１５のランプによって原稿用紙表面を露光し、第１及び第２走査ユニット１５、１６のミラーによって原稿用紙表面からの反射光を結像レンズ１７へと導き、結像レンズ１７によって原稿用紙表面の画像をＣＣＤ１８上に結像し、ＣＣＤ１８は、原稿用紙表面の画像を主走査方向に繰り返し読み取り（ステップＳ２）、原稿用紙表面の画像を示す画像データをメモリに出力する（ステップＳ３）。
【００４６】
そして、ステップＳ３の処理後、メモリに一時的に保存されている画像データは、ページ単位で、印刷部１０３により印刷が実行される（ステップＳ４）。印刷が実行されると、最新ページを残し、原稿画像データをメモリから消去する（ステップＳ５）。ここでの処理例ではページ毎に処理がなされているため、ステップＳ５では、印刷を実行したページの１つ前のページの原稿画像データをメモリから消去すればよい。
【００４７】
制御回路は、自動原稿搬送部１０１や印刷部１０３の途中で紙詰まり（ジャム）が発生していない間（ステップＳ６でＮＯの場合）、次のページの原稿が原稿セットトレイ１１にセットされているか否かを判定し（ステップＳ１３）、セットされていればステップＳ２に戻り、セットされていなければ処理を終了する。
【００４８】
制御回路は、自動原稿搬送部１０１や印刷部１０３の途中で紙詰まり（ジャム）が発生した場合（ステップＳ６でＹＥＳの場合）、ジャム時の画像データを破棄し１枚前のコピー出力（印刷）したデータ、すなわち最終出力ページのデータを、メモリに保持したままにする（ステップＳ７）。ここで、ユーザには数枚原稿を戻すように促すメッセージを提示することが好ましい。紙ジャム解除後、ユーザにより、読み取り原稿が数枚戻されて再度原稿セットトレイ１１にセットされる（ステップＳ８）。
【００４９】
印刷を行う場合に発生するジャムは、上述のように自動原稿搬送部１０１や印刷部１０３の途中で発生する。但し、自動原稿搬送部１０１で搬送途中でのジャムが無く原稿読み取りが終了すれば画像データの取得は可能である。従って、本発明では基本的に自動原稿搬送部１０１でのジャムの発生を問題とする。しかし、印刷部１０３でのジャムの発生が自動原稿搬送部１０１での原稿読み取りを停止するトリガとなることもあるため、印刷部１０３でのジャムの発生時を上述のステップＳ６でＹＥＳと判定して制御してもよい。
【００５０】
ここで、印刷部１０３でのジャムの発生が自動原稿搬送部１０１での原稿読み取りを停止するトリガとなるケースについて補足する。画像処理装置の仕様によっては、印刷部１０３でジャムが発生したときに自動原稿搬送部１０１でもジャムが発生することもある。例えば、次の仕様ｉ又は仕様ｉｉのような仕様が挙げられる。仕様ｉは、印刷部１０３でジャムが発生したときに、画像読取部１０２が原稿を読み取り途中であれば、原稿読み取りを停止するとともに、自動原稿搬送部１０１が、原稿セットトレイ１１からの新たな原稿の給紙を停止させて搬送中の原稿を排出し、搬送動作を停止するといった仕様である。ここで排出する搬送中の原稿が、ジャムしていると捉えることができ、そのジャムは通常、上記排出により自動的に解消される。仕様ｉｉは、印刷部１０３でジャムが発生したときに、その時点で画像読取部１０２及び自動原稿搬送部１０１が駆動を即座に停止するといった仕様である。仕様ｉｉでは、搬送中の原稿は搬送路で停止状態となりジャムとして検出される。
【００５１】
次いで制御回路の指示により、ステップＳ２と同様の処理で原稿を読み取り（ステップＳ９）、その原稿画像データをメモリに記録し（ステップＳ１０）、コピー出力したメモリのデータ（ステップＳ７で保持したままの画像データ）と比較する（ステップＳ１１）。データが異なる場合には、ステップＳ９へ戻って次の原稿を読み取る。もし同じであれば、ステップＳ９で読み取って得た画像データから同ページ以前のページのデータをメモリから消去（クリア）し、ジャム発生前に得た画像データであって出力が完了した最も新しい画像データである最終出力ページ（つまり上記同ページ）のデータもメモリから消去し（ステップＳ１２）、ステップＳ２へ戻る。ステップＳ２へ戻った後は、再度ジャムが発生しない限り、次の原稿から無条件でコピー出力することになる。
【００５２】
なお、ステップＳ１１でデータが異なると判定された場合に、読み取ったデータをクリアし、ステップＳ９へ戻って次の原稿を読み取るようにし、ステップＳ１２では上記同ページのデータのみをクリアするようにしてもよい。また、ステップＳ９〜Ｓ１１では、再セットされた原稿について一枚一枚原稿画像の読み取り及び比較を行ったが、これに限らず、再セットされた原稿について読み取りを完了してから比較を実行してもよい。いずれの処理でも、比較の結果、同ページより後のページについてジャム解消後に得た原稿画像データに対して印刷処理を施すことになる。
【００５３】
ここで、ステップＳ１１における原稿画像データの比較について補足説明する。比較の方法としては、例えば特許文献２に記載のように、２値化データから特徴点を抽出して画像の類似度を判定することで、画像認識を行うことが考えられる。また、比較の方法としては、（１）２値化の白と黒のデータの並びを比較する方法、（２）２値化による原稿サイズ全体の白と黒の割り合いで比較する方法、（３）２値化により原稿のＯＣＲ変換にて文字として認識させ、文字との比較する方法、なども挙げられる。
【００５４】
このように、図２の処理では、自動原稿読取装置を用いたコピーにおいて、コピー出力時にジャムした場合、ジャムした前のページの画像データをメモリで記憶しておき、ジャム処理を行なった後に全てのページ、又は適当な枚数（例えば３〜５枚）のページの原稿を戻してユーザ操作などによりコピーを再開する。そして、この処理では、再度自動原稿読取装置で読み込ませた原稿画像データもメモリに記録し、ジャムした前のページの画像データと比較して、画像が同じであれば次のページについて読み取った原稿画像データからコピー出力させる。この処理では、ジャムした時の最終出力のデータと再読み取りの原稿データを比較するため、ページ落ちせず、コピーの信頼性も高くできる。
【００５５】
また、以上の処理手順とは異なり、全ページの原稿を読み取り後に印刷処理を実行するようにしてもよい。概略的に説明すると、例えば、図２においてステップＳ５の処理を無しとし、ステップＳ４が説明した手順ではなくステップＳ１３でＮＯの場合に続く手順で実行し、ステップＳ１２においてジャム前に得た最終出力ページのデータの消去も行わないようにすればよく、その詳細な説明を省略する。
【００５６】
次に、図３を参照しながら、上記一連の処理がインターネットファクシミリ送信処理（スキャンｔｏ  Ｅメール送信処理）又はファクシミリ送信処理である場合について、その処理例を説明する。図３は、本発明に係る画像処理装置におけるインターネットファクシミリ送信処理又はファクシミリ送信処理の一例を説明するためのフロー図である。ここで説明する処理例は、図１の画像形成装置１００で実行するものとし、また所定の画像処理が、自動原稿読取装置で得た原稿画像データを全ページ分まとめて１つのファイルとし、電子メールに添付して送信する処理、又は自動原稿読取装置で得た原稿画像データを全ページ分まとめてファクシミリ送信する処理とする。
【００５７】
まず、図２のステップＳ１〜Ｓ３と同様の処理がなされる（ステップＳ２１〜Ｓ２３）。そして、ステップＳ２３の処理後、つまり原稿読み取り途中で、ジャムエラーが発生していない場合（ステップＳ２４でＮＯの場合）にはステップＳ２２で読み取ったページのデータを送信用データに指定する（ステップＳ２５）。なお、送信用データに指定する際には、例えば、読み取ったデータと送信用データとをメモリの格納領域で分けておき格納領域を移動させるようにしてもよいし、読み取ったデータを示すアドレスとして関連付けたメモリのアドレスを、送信用データを示すアドレスとして関連付けるようにしてもよい。送信用データとは、電子メール添付用データ又はＦＡＸデータ、又はそれらデータ生成用のデータであって、後述のステップＳ３２でＮＯとなるまでは途中のページまでのデータである。送信用データが電子メール添付用データである場合、ステップＳ２５での指定の際に、メモリに一時的に保存されている画像データを１ファイル化する。送信用データがＦＡＸデータである場合、ステップＳ２５での指定の際に、メモリに一時的に保存されている画像データから１つのＦＡＸデータを生成する。このような電子メール添付用データやＦＡＸデータは後述のステップＳ３３の段階で生成してもよい。
【００５８】
次いで制御回路は次のページの原稿がセットされているか否かを判定し（ステップＳ３２）、セットされている場合（ＹＥＳの場合）にはステップＳ２２へ戻る。ステップＳ３２でＮＯの場合には、制御回路の制御により、送信用データを電子メールに添付してユーザ指定の宛先にネットワークを介して送信するか、若しくは送信用データをユーザ指定の宛先に電話回線を通じてファクシミリ送信する（ステップＳ３３）。ステップＳ３３では送信後のデータをメモリから消去する。
【００５９】
一方、ステップＳ２３の処理後、つまり原稿読み取り途中で、ジャムが発生した場合（ステップＳ２４でＹＥＳの場合）、インターネットファクシミリ送信処理又はファクシミリ送信処理としてはエラーが発生し、エラー表示するが、ジャム時の画像データを破棄しその１枚前に読み取った原稿画像データ、すなわち最終保存ページのデータを、メモリしたままにする（ステップＳ２６）。なお、ここでの処理では、当然ではあるが印刷処理と異なり印刷部１０３でのジャムが発生することはなく、原稿読み取り途中、すなわち自動原稿搬送部１０１でのみジャムが発生する。ジャムが発生した場合、ユーザには数枚原稿を戻すように促すメッセージを提示することが好ましい。紙ジャム解除後、ユーザにより、読み取り原稿が数枚戻されて再度原稿セットトレイ１１にセットされる（ステップＳ２７）。
【００６０】
次いで制御回路の指示により、ステップＳ２２と同様の処理で原稿を読み取り（ステップＳ２８）、その原稿画像データをメモリに記録し（ステップＳ２９）、ジャムした１枚前のページの原稿画像データ（ステップＳ２６で保持したままの画像データであって、現時点での最終保存ページのデータ）と比較する（ステップＳ３０）。比較の方法については上述した通りである。データが異なる場合には、ステップＳ２８へ戻って次の原稿を読み取る。もし同じであれば、ステップＳ２８で読み取って得た画像データから同ページ以前のページのデータをメモリから消去（クリア）し、ジャム発生前に得た画像データであって送信用データに指定された最も新しい画像データである最終出力ページ（つまり上記同ページ）のデータもメモリから消去し（ステップＳ３１）、ステップＳ２２へ戻る。ステップＳ２２へ戻った後は、再度ジャムが発生しない限り、次の原稿から無条件で送信用データに指定され、出力対象となる。なお、ステップＳ３１では、ジャム発生前に得た画像データであって最終保存ページのデータ（つまり上記同ページ）のデータは、既に送信用データに指定されているものの、未送信であるため、送信用データの格納領域（同じメモリを用いるか否かは別として）からは消去しないが、指定対象からは外すことになる。例えば、最終保存ページのデータについて、送信用データとして比較用データとしての２つ別に保持しておくとよい。
【００６１】
なお、ステップＳ３０でデータが異なると判定された場合に、読み取ったデータをクリアし、ステップＳ２８へ戻って次の原稿を読み取るようにし、ステップＳ３１では上記同ページのデータのみをクリアするようにしてもよい。また、ステップＳ２８〜Ｓ３０では、再セットされた原稿について一枚一枚原稿画像の読み取り及び比較を行ったが、これに限らず、再セットされた原稿について読み取りを完了してから比較を実行してもよい。いずれの処理でも、比較の結果、同ページより後のページについてジャム解消後に得た原稿画像データに対して送信処理を施すことになる。
【００６２】
このように、図３の処理では、自動原稿読取装置のインターネットファクシミリ送信処理又はファクシミリ送信処理において、原稿読み取り時にジャムした場合、ジャムした前のページの画像データをメモリで記憶しておき、ジャム処理を行なった後に全てのページ、又は適当な枚数（例えば３〜５枚）のページの原稿を戻してユーザ操作などにより原稿読み取りを再開する。そして、この処理では、再度自動原稿読取装置で読み込ませた原稿画像データもメモリに記録し、ジャムした前のページの画像データと比較して、画像が同じであれば次のページ以降について読み取った原稿画像データを送信用（電子メール添付用又はＦＡＸ用）のデータに加える。この処理では、ジャムした時の最終送信用のデータと再読み取りの原稿データを比較するため、ページ落ちせず、送信処理の信頼性も高くできる。また、図３で例示した処理は、全ページ分の読み取りデータが揃い、それらをまとめてから送信する処理であり、無駄な送信（回線通話料）を減らすことができる。
【００６３】
また、ファクシミリ送信処理は、全ページ分まとめた送信の代わりに、ページ毎に送信を実行してもよい。その場合、送信完了後であっても次のページのデータが取得完了するまではそのページのデータを破棄しないようにしておく。その処理例を概略的に説明すると、図３においてステップＳ３３（送信処理）が説明した手順ではなくステップＳ２５に続く手順で実行され、且つ送信後の消去が最終送信ページについては行わないようにすればよく、その詳細な説明を省略する。
【符号の説明】
【００６４】
１１…原稿セットトレイ（原稿載置トレイ）、１２…排紙トレイ、１３…ＣＩＳ、１５，１６…走査ユニット、１７…結像レンズ、１８…ＣＣＤ、２１…感光体ドラム、２２…帯電器、２３…光書込ユニット、２４…現像器、２５…転写ユニット、２６…クリーニングユニット、２７…定着ユニット、２８ａ…レーザ照射部、２９ａ…ミラー群、３１…転写ベルト、３２…駆動ローラ、３３…従動ローラ、３４…弾性導電性ローラ、３５…加熱ローラ、３６…加圧ローラ、４１…搬送ローラ、４２…レジストローラ、４３…搬送経路、４４…反転搬送経路、４５…分岐爪、４６…排紙ローラ、４７…排紙トレイ、５１…給紙トレイ、５２…大容量給紙カセット、５３…ＬＣＣトレイ、１００…画像形成装置、１０１…自動原稿搬送部、１０２…画像読取部、１０２ａ…原稿読取窓、１０３…印刷部、１０４…記録用紙搬送部、１０５…給紙部。
【図１】
2011259052.tif 000003
【図２】
2011259052.tif 000004
【図３】
2011259052.tif 000005